(57)【特許請求の範囲】
【請求項１】
裏面層と、前記裏面層の上に位置する吸収層と、前記吸収層の表面を覆う被覆シートとを有して、縦方向に延びる両側縁および前縁と後縁を有する吸収性物品において、
前記吸収層は厚みが０．５〜３ｍｍで、前記吸収層の両側部が前記被覆シートと共に前記裏面層から離れる方向に曲げられて、前記吸収層の両側部によって、縦方向に延びる立体壁が形成され、前記被覆シートは、少なくとも前記立体壁と立体壁とで挟まれた領域で前記吸収層を覆う部分が液透過性であり、
前記立体壁は、第１の曲部で曲げられて前記裏面層から離れる方向へ延びる立ち上り部と、前記立ち上り部の上部から第２の曲部で曲げられて裏面層の側縁に向けて延びる肌対向部とを有することを特徴とする吸収性物品。
【請求項２】
裏面層と、前記裏面層の上に位置する吸収層と、前記吸収層の表面を覆う被覆シートとを有して、縦方向に延びる両側縁および前縁と後縁を有する吸収性物品において、
前記吸収層の両側部が前記被覆シートと共に前記裏面層から離れる方向に曲げられて、前記吸収層の両側部によって、縦方向に延びる立体壁が形成され、前記被覆シートは、少なくとも前記立体壁と立体壁とで挟まれた領域で前記吸収層を覆う部分が液透過性であり、
少なくとも前記立体壁は、縦方向への弾性収縮力を発揮する弾性伸縮性の吸収層で形成されていることを特徴とする吸収性物品。
【請求項３】
前記弾性伸縮性の吸収層は、弾性伸縮性素材と、受液側表面に位置する親水性素材とが部分的に接合されたものであり、前記弾性伸縮性素材の弾性収縮力によって、前記親水性素材に多数のたるみが形成されているものである請求項２記載の吸収性物品。
【請求項４】
前記立体壁と立体壁とで挟まれた位置にある吸収層は縦方向に弾性収縮力を発揮しないものであり、前記立体壁の少なくとも一部が前記弾性伸縮性の吸収層で形成されている請求項２または３記載の吸収性物品。
【請求項５】
前記被覆シートは、少なくとも前記立体壁を覆う部分が、縦方向への弾性収縮力を発揮するシートで形成されており、前記シートと前記立体壁とが部分的に接合されている請求項１ないし４のいずれかに記載の吸収性物品。
【請求項６】
前記被覆シートは、立体壁と立体壁とに挟まれる領域に設けられた液透過性のシートと、前記立体壁を覆う前記弾性収縮力を発揮するシートとが接合されたものである請求項５記載の吸収性物品。
【請求項７】
前記裏面層の外面に、下着に固着させる粘着層が設けられて生理用ナプキンとして使用される請求項１ないし６のいずれかに記載の吸収性物品。
【発明の詳細な説明】
【０００１】
【発明の属する技術分野】
本発明は、生理用ナプキンや使い捨ておむつ、尿取りパッドなどとして使用される吸収性物品に係り、特に液の吸収能力が良好で、装着者の肌に対して軟質な接触感を与えることができる吸収性物品に関する。
【０００２】
【従来の技術】
生理用ナプキンは、液不透過性の裏面層と、液透過性の表面層と、前記裏面層と前記表面層との間に設けられた吸収層とを有している。
【０００３】
この種の生理用ナプキンとしては、吸収層が薄型で、裏面層に設けられた粘着層を介して下着に固着させることにより、下着との一体感を生じさせるものが好まれている。
【０００４】
【発明が解決しようとする課題】
しかし、このような薄型の吸収層を有する生理用ナプキンでは、多くの経血が与えられたときの横漏れの不安を無くすことが難しい。前記薄型の吸収層を幅広にすれば、吸収層に与えられた液が横方向へ漏れ出るのを防止しやすくなり、横漏れの不安を低減させることができる。しかし幅広の吸収層を用いると、この吸収層が薄型であっても、着用者の肌に吸収層の存在を大きく感じさせることになり、また体の動きに対して吸収層が抵抗感を与えることになる。
【０００５】
また、下着の緊迫力が弱い場合には、粘着層を介して下着と一体化した生理用ナプキンが肌から浮き上がり、また体の動きによってナプキンに捩れ力が作用することがある。このような場合に、幅広の薄い吸収層を使用したものでは、吸収層が折り畳まれたり、皺が生じたりして、吸収層どうしが重なり合うおそれがある。このような場合、吸収層の液吸収能力が低下するのみならず、着用者の肌に対して大きな抵抗感を与えることになる。
【０００６】
また従来の生理用ナプキンには、前記吸収層の両側から立ち上る防漏壁が設けられたものがある。この防漏壁は、不織布や樹脂フィルムで形成された疎水性シートに、縦方向に延びる弾性部材が取付けられたものであり、前記弾性部材の収縮力によって生理用ナプキンが湾曲させられ、前記疎水性シートが吸収層から離れる方向へ立ち上がるものとなっている。
【０００７】
しかしながら、前記従来の生理用ナプキンに設けられている防漏壁は、不織布や樹脂フィルムなどの薄い疎水性シートで形成されているため、装着者の肌に当たったときに、疎水性シートに接合されている前記弾性部材の張力が肌に直接に作用し、肌への圧迫感があって接触感触が最良とは言えない。
【０００８】
したがって薄い吸収層の生理用ナプキンに前記従来の防漏壁を併用した場合に、防漏壁の抵抗が大きな存在感を感じさせることになり、装着感触が悪くなる。
【０００９】
本発明は上記従来の課題を解決するものであり、薄型の吸収層を用いた場合に、十分な液吸収能力を有し且つ横方向への液漏れを有効に防止でき、また肌への接触感触が柔軟な吸収性物品を提供することを目的としている。
【００１０】
【課題を解決するための手段】
第１の本発明は、裏面層と、前記裏面層の上に位置する吸収層と、前記吸収層の表面を覆う被覆シートとを有して、縦方向に延びる両側縁および前縁と後縁を有する吸収性物品において、
前記吸収層は厚みが０．５〜３ｍｍで、前記吸収層の両側部が前記被覆シートと共に前記裏面層から離れる方向に曲げられて、前記吸収層の両側部によって、縦方向に延びる立体壁が形成され、前記被覆シートは、少なくとも前記立体壁と立体壁とで挟まれた領域で前記吸収層を覆う部分が液透過性であり、
前記立体壁は、第１の曲部で曲げられて前記裏面層から離れる方向へ延びる立ち上り部と、前記立ち上り部の上部から第２の曲部で曲げられて裏面層の側縁に向けて延びる肌対向部とを有することを特徴とするものである。
【００１２】
上記第１の本発明の吸収性物品では、厚み０．５〜３ｍｍの薄い吸収層を用いているが、吸収層が広い面積であるため、液の吸収容量が大きい。そしてこの吸収層の一部が立体壁を形成しているため、装着者の肌への立体壁の接触感が軟質であり装着感に優れる。また吸収層に与えられた液が吸収層で吸収しきれずに横方向へ流れた場合には、前記立体壁が液の漏れを防止するように機能する。
【００１３】
第２の本発明は、裏面層と、前記裏面層の上に位置する吸収層と、前記吸収層の表面を覆う被覆シートとを有して、縦方向に延びる両側縁および前縁と後縁を有する吸収性物品において、
前記吸収層の両側部が前記被覆シートと共に前記裏面層から離れる方向に曲げられて、前記吸収層の両側部によって、縦方向に延びる立体壁が形成され、前記被覆シートは、少なくとも前記立体壁と立体壁とで挟まれた領域で前記吸収層を覆う部分が液透過性であり、
少なくとも前記立体壁は、縦方向への弾性収縮力を発揮する弾性伸縮性の吸収層で形成されていることを特徴とするものである。
【００１４】
例えば、前記弾性伸縮性の吸収層は、弾性伸縮性素材と、受液側表面に位置する親水性素材とが部分的に接合されたものであり、前記弾性伸縮性素材の収縮力によって、前記親水性素材に多数のたるみが形成されているものである。
【００１５】
また、前記立体壁と立体壁とで挟まれた位置にある吸収層は縦方向に弾性収縮力を発揮しないものであり、前記立体壁の少なくとも一部が前記弾性伸縮性の吸収層で形成されているものであってもよい。
【００１６】
一方、前記被覆シートは、少なくとも前記立体壁を覆う部分が、縦方向への弾性収縮力を発揮するシートで形成されており、前記シートと前記立体壁とが部分的に接合されているものであってもよい。
【００１７】
例えば、前記被覆シートは、立体壁と立体壁とに挟まれる領域に設けられた液透過性のシートと、前記立体壁を覆う前記弾性収縮力を発揮するシートとが接合されたものである。
【００１８】
また、本発明の好ましい形態としては、前記裏面層の外面に、下着に固着させる粘着層が設けられて生理用ナプキンとして使用される。
【００１９】
【発明の実施の形態】
図１は、本発明の吸収性物品の一例として生理用ナプキンを示す斜視図、図２は前記生理用ナプキンのＩＩ−ＩＩ線の断面図、図３、図４は他の実施の形態を示す図２と同等の断面図である。
【００２０】
図１に示す生理用ナプキン１は、縦方向に延びる左右両側縁２，２および、前縁３と後縁４を有する縦長形状である。また、生理用ナプキン１は、中央部５と前部６と後部７を有しており、中央部５に対して前部６と後部７が立ち上がる方向へ全体として湾曲している。また前記中央部５において、前記両側縁２，２から横方向外側へウイング部が延びて、生理用ナプキン１を下着に装着したときに前記ウイング部を下着の外側へ折り返して装着するものであってもよい。または、前部６と後部７との少なくとも一方において両側縁２，２から外方へ延びるウイング部が形成されているものであってもよい。
【００２１】
図２の断面で見たときの生理用ナプキン１は、液不透過性の裏面層１１の上に液吸収層１２が設置され、この液吸収層１２の表面が被覆シート１３で覆われている。図１に示すように、生理用ナプキン１は、液吸収層１２が裏面層１１よりも一回り小さいものであり、液吸収層１２が存在していない周囲部分が、左右フラップ８，８および前部フラップ９ならび後部フラップ１０となっている。前記左右フラップ８，８、前部フラップ９および後部フラップ１０において、前記裏面層１１と被覆シート１３とがホットメルト接着剤などで接合されている。
【００２２】
また図２に示すように、前記裏面層１１の外面の中央部には粘着層１４が設けられている。この粘着層１４は、感圧粘着剤で形成されており、使用前は前記粘着層１４が離型紙にて覆われている。使用時にはこの粘着層１４を下着のクロッチ部内面に固着させることにより、生理用ナプキン１を下着と一体化させることができる。
【００２３】
裏面層１１は、疎水性繊維で形成された不織布で、スパンボンド法、メルトブロン法などで形成されたもの、あるいは通気性のポリエチレンフィルム、あるいは不織布と前記ポリエチレンフィルムとが積層されたものなどである。
【００２４】
前記裏面層１１の上に設置された液吸収層１２は、その厚みＴが０．５〜３ｍｍの薄型のものである。そして、少なくとも前記中央部５において、前記液吸収層１２の両側部が、裏面層１１から離れる方向へ立ち上がって立体壁２０が形成されている。前記立体壁２０は、立ち上り部２１と、肌対向部２２を有している。前記立ち上り部２１は、第１の曲げ部２３によって前記液吸収層１２が曲げられて、裏面層１１から離れる方向へ立ち上がっている。前記肌対向部２２は、前記立ち上り部２１の上部において第２の曲げ部２４により曲げられて、先端部２５が生理用ナプキン１の前記側縁２へ向けられている。
【００２５】
前記肌対向部２２は、前記裏面層１１とほぼ平行な面を形成し、図１に示すように、前記肌対向部２２および立ち上り部２１は、中央部５において、前記側縁２，２とほぼ平行に縦方向へ延びている。
【００２６】
図１に示すように、生理用ナプキン１の前部６および後部７では、前記液吸収層１２の両側部が短い幅で潰されるように折り畳まれて折り畳み部２６が形成されており、この折り畳み部２６が裏面層１１の表面に接着されている。
【００２７】
そして、前記液吸収層１２が設けられている領域においては、前記立体壁２０と立体壁２０とで挟まれている領域、さらに詳しくは、左右の立体壁２０の前記第1の曲げ部２３の間の領域が主たる受液領域３０となっている。
【００２８】
前記液吸収層１２は、液体が与えられたときにこれを流動させないように保持する能力を有するものであり、天然セルロース繊維であるパルプ、再生セルロース繊維であるビスコースレーヨンやアセテートレーヨンなどを原料とし、これらから湿式抄紙法により形成された吸収紙、またはパルプを化学処理でシート化させたエアレイドパルプなどの親水性のものである。あるいはカード法で製造された熱可塑性合成繊維のウエッブを熱風で接合してシート化したスルーエアー不織布、前記ウエッブを水流で交絡させたスパンレース不織布、熱可塑性合成繊維とパルプを混合してシート化したエアレイド不織布を使用できる。
【００２９】
または、前記液吸収層１２は、熱可塑性合成繊維または再生セルロース繊維などの連続繊維の層であり、前記連続繊維の集合体であるトウから開繊されたものを用いてもよい。
【００３０】
前記不織布または連続繊維として使用される熱可塑性繊維は、表面を界面活性剤で親水処理したもの、または界面活性剤を練り込んで親水処理したものであり、ＰＥ（ポリエチレン）、ＰＰ（ポリプロピレン）、ＰＥＴ（ポリエチレンテレフタレート）などの単繊維、ＰＥ／ＰＰ、ＰＥ／ＰＥＴの芯鞘構造またはサイドバイサイド型の複合合成繊維のいずれかが使用される。あるいは鞘が親水性のＰＶＡ（ポリビールアルコール）やＥＶＯＨ（エチレンビニルアルコール共重合体）で、芯部が疎水性のＰＥＴで形成された芯鞘構造または、偏心芯鞘構造の複合合成繊維を使用することもできる。これら熱可塑性合成繊維の好ましい繊度は１．１〜６．６ｄｔｅｘである。
【００３１】
あるいは前記液吸収層１２が粉砕パルプの積層体、液吸収性ポリマーのシート、親水処理を施した発泡樹脂シートであってもよい。
【００３２】
この生理用ナプキン１では、前記立体壁２０が、液吸収層１２から一体に曲げられて形成されているため、液吸収層１２自体の剛性で、立体壁２０の立体形状を維持する力を発揮でき、肌との密着力が作用しても立体壁２０が潰れにくくなる。ただし、前記立体壁２０に縦方向への弾性収縮力を作用させると、この弾性収縮力によって、生理用ナプキン１全体が図１に示す湾曲形状を記憶しやすくなり、その結果、立体壁２０の立ち上り立体形状をさらに維持しやすくなる。
【００３３】
図２に示す実施の形態では、前記弾性収縮力を与えるために、立体壁２０に、縦方向に延びる弾性伸縮部材２８が少なくとも１つ接合されている。また好ましくは、前記弾性伸縮部材２８は、立ち上り部２１と肌対向部２２のそれぞれに少なくとも１つ接合される。前記弾性伸縮部材２８は、合成ゴムを主成分としてフィルム状、糸状、ネット状に形成されたもの、天然ゴムを主成分として糸状、帯状に形成されたもの、または合成ゴムを主成分としたスパンボンド法やメルトブロン法で形成された帯状の伸縮性不織布である。前記弾性伸縮部材２８は、１．２〜１．８倍に伸ばした状態で、前記立体壁２０に接合され、弾性伸縮部材２８の前後端部が前記折り畳み部２６において接合されている。
【００３４】
図２に示す実施の形態に用いられている被覆シート１３は、その全体が液透過性であり、共通の被覆シート１３によって、前記受液領域３０および立体壁２０の表面にて前記液吸収層１２が覆われている。また、前記被覆シート１３は、前記液吸収層１２の表面に間隔を開けて接着剤で接合されている。
【００３５】
前記被覆シート１３は装着者の肌に直接に触れるものであるため、肌への刺激の小さい素材で形成されていることが好ましく、例えば液透過性の繊維シートと開孔プラスチックシートとから選ばれる。
【００３６】
前記繊維シートは、熱可塑性合成繊維、天然セルロース繊維、再生セルロース繊維のいずれか、またはこれらを混合した繊維ウエッブが、水流交絡されたスパンレース不織布、熱風で繊維が接合されたスルーエアー不織布、ヒートエンボスで繊維が接合されたスパンボンド不織布であり、好ましくは、これら不織布にニードリング処理が施されて多数の開孔が形成されているものである。
【００３７】
前記開孔プラスチックシートは、ＰＥ（ポリエチレン）、ＰＰ（ポリプロピレン）、ＰＥＴ（ポリエチレンテレフタレート）などの熱可塑性樹脂から選択されたもので形成され、例えば樹脂密度は０．８８〜０．９３ｇ／ｃｍ3で、メルトフローレートは２〜３０ｇ／１０ｍｉｎのポリエチレン樹脂から選択される。また、白色化のための酸化チタンなどの無機充填剤が０．１〜１０質量％の範囲で含まれていることが好ましい。また、開孔の面積占有率が４０〜７０％が好ましい。
【００３８】
図１と図２に示す生理用ナプキン１は、０．５〜３ｍｍの薄型の液吸収層１２が用いられているが、その両側部に前記液吸収層１２の一部を曲げて形成した立体壁２０，２０が設けられている。そのため、立体壁２０が形成されていない平坦な状態での液吸収層１２の横方向の幅寸法Ｗ０を幅広のものにしても、実際の製品では、液吸収層１２の見かけ幅寸法（対をなす立体壁２０の先端部２５と先端部２５間の寸法）Ｗ１を短くできる。前記見かけの幅寸法Ｗ１に対する実際の幅寸法Ｗ０との比Ｗ１／Ｗ０が、１．１〜１．５の範囲に設定されており、さらに好ましくは１．１５〜１．３５に設定されている。
【００３９】
その結果、実質的に広い液吸収面積を有する液透過層１２を、Ｗ１の幅としているので、装着者は大きな液吸収層１２を用いていることの抵抗感を感じにくい。しかも、立体壁２０は液吸収層１２で形成されているため、軟質であるとともにある程度の剛性を有しているため、弾性伸縮部材２８の張力が直接に肌へ抵抗感を与えることがない。また肌対向部２２が比較的広い面積で肌に当たるため、立体壁２０から肌へ与える圧迫感が少なく、装着者が軟質な装着感を得ることができる。
【００４０】
また、立体壁２０は自らの剛性により立体形状を維持でき、さらには弾性伸縮部材２８を設けることで立体形状を維持している。よって例えば下着の緊迫力が弱く、下着に固着させた生理用ナプキン１と装着者の肌とに隙間が形成され、または肌の動きで生理用ナプキン１に捩じれや皺を発生させる力が作用しても、立体形状の前記立体壁２０が前記動きに柔軟に追従する。よって従来の薄型の液吸収層を用いた生理用ナプキンのように、液吸収層が折り畳まれたり皺が発生するなどの問題が生じにくくなる。
【００４１】
しかも、受液領域３０の両側部において、液吸収層１２の立ち上り部２１，２１が立ち上がっているため、受液領域３０に与えられた液が厚さ０．５〜３ｍｍの比較的薄い液吸収層１２で吸収しきれずに、液吸収層１２の表面や被覆シート１３の表面に沿って液が側方へ流れたとしても、前記立体壁２０によって、前記液の横漏れを有効に防止できる。
【００４２】
また図２に示す実施の形態では、立体壁２０が液透過性の被覆シート１３によって被覆されているため、立体壁２０に付着した液は、立体壁２０を形成する液吸収層１２の毛細管作用により立体壁２０内に引き込まれ、よって生理用ナプキン１全体では大きな液収容力を有するものとなる。
【００４３】
次に、図３に示す実施の形態の生理用ナプキン１Ａでは、裏面層１１と被覆シート１３が、図２に示す実施の形態と同じものである。図３に示す立体壁２０Ａも、液吸収層の一部を曲げて形成されたものであり、図２に示す実施の形態と同様に、第１の曲げ部２３により曲げられた立ち上り部２１、および前記立ち上がり部２１から第２の曲げ部２４で曲げられた肌対向部２２を有している。ただし、図２では立ち上り部２１が生理用ナプキン１の中心に向けて傾斜しているのに対し、図３では立ち上がり部２１が、生理用ナプキン１Ａの側縁２に向けて傾斜している点が相違している。
【００４４】
そして、図３に示す実施の形態では、立体壁２０Ａが弾性伸縮性の液吸収層３１で形成されている。また前記弾性伸縮性の液吸収層３１は受液領域３０の側部まで延びている。前記受液領域３０の中央部には図２に示したのと同じ、吸収紙、エアレイドパルプ、繊維シートなどで形成された液吸収層１２が設けられており、この液吸収層１２と前記液吸収層３１とが密着し、好ましくは接着されている。ただし、受液領域３０と立体壁２０Ａの全域が、前記弾性伸縮性の液吸収層３１で形成されていてもよい。
【００４５】
前記液吸収層３１は液吸収層１２と同じ厚さＴ（０．５〜３ｍｍ）で形成され、それ自体が親水性で液体の保持力を有しているものであり、少なくとも２層で形成されているものが好ましく使用される。図３と図４に示すものでは、弾性伸縮性の液吸収層３１が三層構造であり、少なくとも受液側に向けられる表面層３３が親水性である。
【００４６】
図３と図４に示す液吸収層３１は、中間層３２が弾性伸縮性であり、ウレタン、ＳＥＢＳ、ＳＩＳ、ＳＥＥＰＳなどの熱可塑性合成ゴムで形成されている。例えば、前記熱可塑性合成ゴムが溶融されてノズルから押し出される際にエアーで吹き出されて連続繊維状とされ、これがコンベア上で積層されてシート化されるいわゆるメルトブロン法で形成されたものである。好ましくは前記シート化されたものに界面活性剤が塗布されて親水処理されたもの、あるいは前記熱可塑性合成ゴムに界面活性剤が混練されたものが使用される。中間層３２の好ましい目付けは２０〜１５０ｇ／ｍ2、さらに好ましくは３０〜１００ｇ／ｍ2であり、縦方向へ１．１倍以上伸ばすことができ、好ましくは１．２〜１．８倍の範囲で伸ばすことが可能とされたものである。
【００４７】
また液吸収層３１の受液側に向けられる表面層３３と、裏面層１１に向けられる裏面層３４は、共に同じ素材または別々の素材で形成される。表面層３３と裏面層３４を形成する素材は、前記液吸収層１２と同じ親水性素材で形成でき、天然セルロース繊維であるパルプ、再生セルロース繊維であるビスコースレーヨンやアセテートレーヨンなどを原料とした吸収紙、エアレイドパルプなどである。または親水性繊維や親水処理された熱可塑性合成繊維で形成されたスルーエアー不織布、スパンレース不織布などであり、また熱可塑性合成繊維で形成されたメルトブロン不織布を親水処理したものであってもよい。さらには、トウから開繊された連続繊維の層であってもよい。
【００４８】
これら繊維シートで形成された前記表面層３３、裏面層３４の個々の目付けは２０〜８０ｇ／ｍ2の範囲のものが好ましい。
【００４９】
また、前記表面層３３と裏面層３４、特に表面層３３として、厚さが０．３〜１．０ｍｍ、開孔面積率が３０〜７０％の親水処理された開孔プラスチックシートを使用することもできる。
【００５０】
前記弾性伸縮性の液吸収層３１では、前記中間層３２に対して表面層３３と裏面層３４とが、面積率５〜２０％の接合面積となるように、間隔を開けて熱融着、加圧エンボス、接着などの手段で接合されている。この接合パターンは、ドット状、ストライプ状、ネット状である。接合された三層の繊維シートを縦方向へ一旦伸ばし、その後に伸ばし力を解除して中間層３２の弾性力で収縮復元させる。その結果、図４に示すように、表面層３３と裏面層３４に接合部間でループ状のたるみが形成される。前記表面層３３に細かなたるみを形成すると、液体の保持力が高くなり、また毛細管作用で液を引き込みやすくなる。
【００５１】
また前記弾性伸縮性の液吸収層３１で立体壁２０Ａを形成する際に、予め縦方向へわずかに伸ばした状態で、前記裏面層１１に接合しておくと、立体壁２０Ａに縦方向の弾性収縮力が作用して、図１に示すように生理用ナプキン全体が湾曲しやすくなり、その結果、立体壁２０Ａの立ち上り立体形状を維持しやすくなる。
【００５２】
次に、図５に示す実施の形態の生理用ナプキン１Ｂでは、裏面層１１と液吸収層１２が、図２に示す実施の形態と同じものである。また図５に示す立体壁２０Ｂは、図２に示す実施の形態と同様に、第１の曲げ部２３により曲げられた立ち上り部２１、前記立ち上がり部２１から第２の曲げ部２４で曲げられた肌対向部２２を有している。ただし、図２では立ち上り部２１が生理用ナプキン１の中心に向けて傾斜しているのに対し、図５では立ち上がり部２１が、裏面層１１からほぼ垂直に立ち上がっている点が相違している。
【００５３】
図５に示すものでは、受液領域３０で、吸収層１２を覆う被覆シート１３が、図２に示したのと同じ、液透過性の繊維シート、または開孔プラスチックシートで形成されているが、前記立体壁２０Ｂが、前記被覆シート１３と異なる弾性伸縮性の被覆シート３５で覆われている。この被覆シート３５は、左右フラップ８，８および前部フラップ９と後部フラップ１０において、裏面層１１と接合されている。そして前記被覆シート１３と、弾性伸縮性の被覆シート３５が接合部３６によって接着または熱融着により接合されている。
【００５４】
前記弾性伸縮性の被覆シート３５は、ウレタン、ＳＥＢＳ、ＳＩＳ、ＳＥＥＰＳなどの熱可塑性合成ゴムを溶融してノズルから押し出す際にエアーで吹き出して連続繊維状とし、これをコンベア上に積層してシート化したメルトブロン法で形成されるものなどである。この被覆シート３５は、液不透過性であってもかまわないが、親水処理し、さらにはニードリング処理により開孔を形成して液透過性としたものが好ましい。
【００５５】
前記弾性伸縮性の被覆シート３５を縦方向へ伸ばした状態で、生理用ナプキン１Ｂの前部６と後部７に接合すれば、前記被覆シート３５の弾性収縮力によって、生理用ナプキン１Ｂの全体が湾曲形状になり、立体壁２０Ｂが立体形状を維持しやすくなる。
【００５６】
この場合、弾性収縮状態の被覆シート３５が立体壁２０Ｂの表面に現れるため、この表面において被覆シート３５が凹凸にならずある程度の張力を有した状態で肌に当たるようになる。よって立体壁３５の肌対向部３５が肌に滑らかに当たるようになる。
【００５７】
なお、前記図２、図３、図５の実施の形態は、互いに組合せて実施することが可能であり、立体壁が各図に示すどの形状であってもよいし。図３と図５において弾性伸縮部材２８が接合されてもよい。または図５において、図３に示す弾性伸縮性の液吸収層３１を用いてもよい。
【００５８】
次に前記生理用ナプキンの好ましい寸法は、立体壁２０（２０Ａ、２０Ｂ）の先端部２５と先端部２５との間の見かけの幅寸法Ｗ１は、５０〜１００ｍｍの範囲であり、好ましくは６０〜８０ｍｍである。また立体壁２０（２０Ａ、２０Ｂ）と立体壁２０（２０Ａ、２０Ｂ）とで挟まれた受液領域３０の横方向の幅寸法は、３０〜８０ｍｍであり、好ましくは５０〜８０ｍｍである。また立体壁２０，２０Ａ，２０Ｂの裏面層１１表面からの立ち上り高さＨは、５〜２０ｍｍが好ましく、肌対向部２２の幅寸法Ｗ２も５〜２０ｍｍが好ましい。
【００５９】
さらに、前記立体壁２０，２０Ａ，２０Ｂは、図１に示す中央部５にのみ設けられても良いし、縦方向の全域に設けられてもよい。また前記立体壁２０，２０Ａ，２０Ｂが形成される領域の縦方向の長さは、６０〜２５０ｍｍの範囲であり、さらに好ましくは８０〜２００ｍｍの範囲である。
【００６０】
また本発明は、生理用ナプキンに限られず、使い捨ておむつ、尿取りパッドなどとして実施することが可能である。
【００６１】
【発明の効果】
以上のように本発明では、比較的薄い吸収層を用いた吸収性物品において、幅広の吸収層を用いて全体の液収容能力を高くでき、しかも両側に立体壁を設けることにより、吸収層の見かけ幅寸法を短くしているため、装着者の肌に違和感を与えることが少ない。また吸収層で吸収しきれなかった液は、吸収層で形成された立体壁で止めることができ、横漏れを有効に防止できる。
【００６２】
また吸収層で形成された立体壁は、肌への当りが柔らかく、装着感が良好になる。
【図面の簡単な説明】
【図１】本発明の吸収性物品の第１の実施の形態として生理用ナプキンを示す斜視図、
【図２】図１の生理用ナプキンのＩＩ−ＩＩ線の断面図、
【図３】第２の実施の形態の生理用ナプキンを示す図２に相当する断面図、
【図４】図３の液吸収層の拡大断面図、
【図５】第３の実施の形態の生理用ナプキンを示す図２に相当する断面図、
【符号の説明】
１，１Ａ，１Ｂ  生理用ナプキン
２  側縁
３  前縁
４  後縁
５  中央部
６  前部
７  後部
８  フラップ
１１  裏面層
１２  吸収層
１３  被覆シート
１４  粘着層
２０，２０Ａ，２０Ｂ  立体壁
２１  立ち上り部
２２  肌対向部
２３  第１の曲げ部
２４  第２の曲げ部
２５  先端部
２８  弾性伸縮部材
３０  受液領域
３１  弾性伸縮性の液吸収層
３５  弾性伸縮性の被覆シート
【図１】
0003967887.tif 000002
【図２】
0003967887.tif 000003
【図３】
0003967887.tif 000004
【図４】
0003967887.tif 000005
【図５】
0003967887.tif 000006